(57)【要約】【課題】効率的な発送や返送を支援しながら、より確実に回収するための包装容器を提供する。【解決手段】包装箱１０は、重なって上面部を構成する第１蓋部材５０及び第２蓋部材６０、側壁部材２１，３１，４１と、これらに接続する展開部材２２，３２，４２、フラップ部材２３とを有している。第１蓋部材５０には開口部５５が形成され、第２蓋部材６０の上面には配送ラベル７０が貼付されている。第１蓋部材５０を最上面にした場合には、開口部５５を介して、配送ラベル７０の送り主情報記載欄７２が露出される。この場合、展開部材２２及びフラップ部材２３を内側に折り曲げて、展開部材３２，４２を第１蓋部材５０及び第２蓋部材６０と面一にして、小容量形態の包装箱１０とする。この包装箱１０を、展開部材２２，３２，４２を起立させることにより、大容量形態に変形させ、第２蓋部材６０を最上面にして、配送ラベル７０全体を露出させる。【選択図】図１
2014046982.tif 000002
【特許請求の範囲】
【請求項１】
開口部を設けた第１蓋部材と、
前記第１蓋部材の一部と重なり、配送ラベルが貼付される第２蓋部材とを有し、
前記第１蓋部材の前記開口部を、前記第２蓋部材に貼付された配送ラベルの送り主情報を露出できる位置に設けたことを特徴とする包装容器。
【請求項２】
前記第２蓋部材には、蓋部材係止部が設けられており、
前記蓋部材係止部を、前記開口部に挿入可能な位置に設け、
前記蓋部材係止部を前記開口部に挿入させて、前記第２蓋部材を係止させる構成としたことを特徴とする請求項１に記載の包装容器。
【請求項３】
４つの側面を有した直方体形状をしており、
前記第１蓋部材及び第２蓋部材は、前記直方体形状の上面開口を覆うように形成されており、
前記第１蓋部材及び第２蓋部材が、それぞれ第１展開部材を介して接続されている側面とは異なる対向する１対の側面に、内部に折り込み可能な第２展開部材を設け、
前記第１展開部材及び前記第２展開部材を起立させることにより、容積を増加させるように構成したことを特徴とする請求項１に記載の包装容器。
【請求項４】
前記第２蓋部材の端部は、前記第２展開部材の折り込み部分及び前記第１蓋部材の第１展開部材によって形成される空間に挿入可能に構成されていることを特徴とする請求項３に記載の包装容器。
【請求項５】
４つの側面を有した直方体形状をしており、
前記第１蓋部材及び第２蓋部材は、前記直方体形状の上面開口を覆うように形成されており、
前記第１蓋部材及び第２蓋部材が、それぞれ第１展開部材を介して接続されている側面とは異なる対向する１対の側面に、内部に折り込み可能な第２展開部材を設け、
前記第２蓋部材の端部が、前記第２展開部材の折り込み部分及び前記第１蓋部材の第１展開部材によって形成される空間に挿入可能の形状で形成されているとともに、
前記第１蓋部材の端部が、前記第２展開部材の折り込み部分及び前記第２蓋部材の第１展開部材によって形成される空間に挿入可能に形成されていることを特徴とする請求項１又は２に記載の包装容器。
【発明の詳細な説明】
【技術分野】
【０００１】
本発明は、配送物を収容して包装する包装容器に関する。
【背景技術】
【０００２】
発送元から発送先に配送した物を、発送先から発送元に送り返すことがある。このような往復の配送において、手間を簡略化するための配送ラベルが検討されている（例えば、特許文献１を参照。）。この文献には、発送元欄と届け先欄とが往路用伝票群と、復路用伝票群とで入れ替わる位置に設けられている。この往復用配送伝票においては、１度の記入によって各々の欄に記載事項が複写される。
【先行技術文献】
【特許文献】
【０００３】
【特許文献１】特開平６−４８０６８号公報（第１頁、図１）
【発明の概要】
【発明が解決しようとする課題】
【０００４】
不具合等が生じた製品をメーカに返送してもらったり、顧客のところにある物を企業に提供したりすることがある。ここで、発送用の梱包材の用意や、発送先を記載した配送ラベルの作成等の発送作業には手間がかかる。そこで、発送者の手間を低減するために、受取人（メーカや企業等）を記載した配送ラベルを貼付した梱包材を、受取人側で準備して発送者に提供することがある。この場合、発送者においては、効率的かつ簡便に発送準備ができることが望ましい。
また、同じ梱包材を発送用及び返送用の両方で使用することがある。このとき、発送用と返送用で別々の配送ラベルを用いる場合、貼付すべき配送ラベルの混乱が生じる可能性がある。
【０００５】
本発明は、上記問題点を解決するためになされたものであり、効率的な発送や返送を支援しながら、より確実に回収するための包装容器を提供することにある。
【課題を解決するための手段】
【０００６】
上記問題点を解決するために、請求項１に記載の発明は、開口部を設けた第１蓋部材と、前記第１蓋部材の一部と重なり、配送ラベルが貼付される第２蓋部材とを有し、前記第１蓋部材の前記開口部を、前記第２蓋部材に貼付された配送ラベルの送り主情報を露出できる位置に設けたことを要旨とする。
【０００７】
請求項２に記載の発明は、請求項１に記載の包装容器において、前記第２蓋部材には、蓋部材係止部が設けられており、前記蓋部材係止部を、前記開口部に挿入可能な位置に設け、前記蓋部材係止部を前記開口部に挿入させて、前記第２蓋部材を係止させる構成としたことを要旨とする。
【０００８】
請求項３に記載の発明は、請求項１に記載の包装容器において、４つの側面を有した直方体形状をしており、前記第１蓋部材及び第２蓋部材は、前記直方体形状の上面開口を覆うように形成されており、前記第１蓋部材及び第２蓋部材が、それぞれ第１展開部材を介して接続されている側面とは異なる対向する１対の側面に、内部に折り込み可能な第２展開部材を設け、前記第１展開部材及び前記第２展開部材を起立させることにより、容積を増加させるように構成したことを要旨とする。
【０００９】
請求項４に記載の発明は、請求項３に記載の包装容器において、前記第２蓋部材の端部は、前記第２展開部材の折り込み部分及び前記第１蓋部材の第１展開部材によって形成される空間に挿入可能に構成されていることを要旨とする。
【００１０】
請求項５に記載の発明は、請求項１又は２に記載の包装容器において、４つの側面を有した直方体形状をしており、前記第１蓋部材及び第２蓋部材は、前記直方体形状の上面開口を覆うように形成されており、前記第１蓋部材及び第２蓋部材が、それぞれ第１展開部材を介して接続されている側面とは異なる対向する１対の側面に、内部に折り込み可能な第２展開部材を設け、前記第２蓋部材の端部が、前記第２展開部材の折り込み部分及び前記第１蓋部材の第１展開部材によって形成される空間に挿入可能の形状で形成されているとともに、前記第１蓋部材の端部が、前記第２展開部材の折り込み部分及び前記第２蓋部材の第１展開部材によって形成される空間に挿入可能に形成されていることを要旨とする。
【００１１】
（作用）
請求項１に記載の発明によれば、開口部を設けた第１蓋部材と、第１蓋部材の一部と重なり、配送ラベルが貼付される第２蓋部材とを有し、第１蓋部材の開口部を、第２蓋部材に貼付された配送ラベルの送り主情報を露出できる位置に設けた。これにより、配送ラベルの送り主情報を用いて、包装容器を、送り主に配送することができる。また、第１蓋部材の下に重なっていた第２蓋部材を、第２蓋部材の上に重ねることにより、予め宛先及び送り主が記載された配送ラベル全体が露出される。これにより、蓋部材の重ね合わせを変更することにより、到着した包装容器を返送用の包装容器に簡単に変形して、返送先を表示させることができる。従って、同一の包装容器を用いて、効率的な発送や返送、確実な回収を実現することができる。
【００１２】
請求項２に記載の発明によれば、第２蓋部材には、蓋部材係止部が設けられており、蓋部材係止部を、開口部に挿入可能な位置に設け、蓋部材係止部を開口部に挿入させて、第２蓋部材を係止させる構成とした。これにより、配送ラベルの送り主情報を露出させるための開口部を、第２蓋部材を開かせないための構成の一部として用いることができる。
【００１３】
請求項３に記載の発明によれば、４つの側面を有した直方体形状をしており、第１蓋部材及び第２蓋部材は、直方体形状の上面開口を覆うように形成されており、第１蓋部材及び第２蓋部材が、それぞれ第１展開部材を介して接続されている側面とは異なる対向する１対の側面に、内部に折り込み可能な第２展開部材を設け、第１展開部材及び第２展開部材を起立させることにより、容積を増加させるように構成した。これにより、送り主は、小容量の包装容器を受け取った後、簡単な折り曲げを行なうことにより、大容量の包装容器に変形することができる。
【００１４】
請求項４に記載の発明によれば、第２蓋部材の端部は、前記第２展開部材の折り込み部分及び前記第１蓋部材の第１展開部材によって形成される空間に挿入可能に構成されている。これにより、第２蓋部材の端部が、第１展開部材と第１の蓋部との間で形成される空間に挿入されることにより、第２蓋部材を保持することができる。従って、小容量の包装容器の上面を強固に保持することができる。
【００１５】
請求項５に記載の発明によれば、４つの側面を有した直方体形状をしており、第１蓋部材及び第２蓋部材は、直方体形状の上面開口を覆うように形成されており、第１蓋部材及び第２蓋部材が、それぞれ第１展開部材を介して接続されている側面とは異なる対向する１対の側面に、内部に折り込み可能な第２展開部材を設け、第２蓋部材の端部が、第２展開部材の折り込み部分及び第１蓋部材の第１展開部材によって形成される空間に挿入可能の形状で形成されているとともに、第１蓋部材の端部が、第２展開部材の折り込み部分及び第２蓋部材の第１展開部材によって形成される空間に挿入可能に形成されている。これにより、送り主は、包装容器を受け取った後、配送ラベルが設けられた包装容器をそのまま用いることができる。更に、この場合、包装容器の上面を強固に保持することができる。
【発明の効果】
【００１６】
本発明によれば、効率的な発送や返送を支援しながら、より確実に回収することができる。
【図面の簡単な説明】
【００１７】
【図１】実施形態の包装箱の構成を説明する図であり、（ａ）は包装箱の斜視図、（ｂ）は第２蓋部材が最上面となった大容量形態の包装箱の上面図、（ｃ）は第１蓋部材が最上面となった小容量形態の包装箱の上面図。
【図２】実施形態の包装箱において、小容量形態に成形する際の説明図であり、（ａ）は第１蓋部材と展開部材との間に空間を形成した状態、（ｂ）は空間に第２蓋部材を挿入した状態、（ｃ）は第１蓋部材を切り込み部に挿入した状態を示す。
【図３】実施形態の包装箱を、小容量から大容量に変形させるまでの斜視図であって、（ａ）は第１、第２蓋部材を閉じた状態、（ｂ）は第１蓋部材を開けた状態、（ｃ）は第１、第２蓋部材を開けた状態、（ｄ）は展開部材を起立させた状態、（ｅ）は第１蓋部材を閉じた状態、（ｆ）は第１、第２蓋部材を閉じた状態を示す。
【発明を実施するための形態】
【００１８】
以下、本発明を具体化した一実施形態を図１〜図３に基づいて説明する。本実施形態の包装容器は、容量を変更できる包装箱の場合を想定する。この包装容器は、例えば、顧客の手元にあるもの（ここでは返送品）を企業に返送してもらう場合に用いられ、企業から顧客に配送される。この場合、企業から顧客に発送する場合（往路の場合）には、顧客の郵便受けに配達できるように、包装箱を小容量の箱形態で用いる。また、顧客から企業に返送する場合（復路の場合）には、返送品を封入するために、包装容器を大容量の箱形態で用いる。
【００１９】
図１（ａ）に示すように、包装容器としての包装箱１０は、直方体形状をしており、定形外郵便物の大きさ（例えば、縦が３０ｃｍ程度で横が２０ｃｍ程度）で構成されている。この包装箱１０は、底面部材１１、側壁部材２１，３１，４１、展開部材２２，３２，４２、フラップ部材２３、第１蓋部材５０及び第２蓋部材６０から構成されている。ここで、底面部材１１の両短辺に接続する側壁部材２１、展開部材２２及びフラップ部材２３は、同じ形状をしているため、同一の符号を付している。第１蓋部材５０及び第２蓋部材６０は、重なりあって、包装箱１０の上面部を構成する。これら各部材（１１，２１〜２３，３１，３２，４１，４２，５０，６０）は、例えば段ボール材等、配送中においても剛性を維持可能な材質により構成される。
【００２０】
底面部材１１は、長方形状をした板状部材である。この底面部材１１の短辺の両端部には、側壁部材２１が直立した状態で接合される。また、底面部材１１の長辺の両端部には、それぞれ側壁部材３１，４１が直立した状態で接合される。側壁部材２１，３１，４１は、同じ高さ（例えば５ｃｍ程度）で構成されている。また、各側壁部材２１は、端部の辺において、側壁部材３１及び側壁部材４１と接合されている。
【００２１】
更に、各側壁部材２１の上端の辺には、各展開部材２２が接合されている。展開部材２２は、第２展開部材であって、側壁部材２１に対して折り曲げ可能に構成されている。図１（ａ）では、展開部材２２と側壁部材２１との接合部２２ａを示している。また、側壁部材３１，４１の上端の辺には、それぞれ展開部材３２，４２が接合されている。展開部材３２，４２は、第１展開部材であって、側壁部材３１，４１に対して折り曲げ可能に構成されている。展開部材２２，３２，４２は、同じ大きさ（例えば１０ｃｍ程度）で構成されている。各展開部材２２は、展開部材３２及び展開部材４２と接合されている。包装箱１０を大容量形態で使用する場合には、展開部材２２，３２，４２を起立させることにより、各展開部材２２，３２，４２は、各側壁部材２１，３１，４１と面一となって、側面部を構成する。また、包装箱１０を小容量形態で使用する場合には、展開部材３２，４２は、図１（ｃ）に示すように、それぞれ、第１蓋部材５０、第２蓋部材６０と面一になって、第１上面部、第２上面部を構成する。
【００２２】
また、図１（ａ）に示すように、各展開部材２２の上端の辺には、フラップ部材２３が接合されている。フラップ部材２３は、展開部材２２に対して折り曲げ可能に構成されている。図１（ａ）では、このフラップ部材２３と展開部材２２との接合部２５を示している。展開部材２２とフラップ部材２３には、これらに跨るように、１対の折り曲げ線２７が形成されている。これら１対の折り曲げ線２７は、左右対称で、接合部２２ａの端部から、フラップ部材２３の上端部に向けて、幅が狭くなるような配置で形成されている。これら折り曲げ線２７は、接合部２２ａと４５度の角度をなす直線で形成されている。この折り曲げ線２７は、包装箱１０を小容量形態で使用する場合には折り曲げられて、折り曲げ線２７の上側領域が下側領域と重ね合わせられる。
【００２３】
また、展開部材４２の中央には、底面部材１１の長辺と平行に延びる切り込み部４３が形成されている。この切り込み部４３は、後述する係止部５１が挿入して係止できる大きさに形成されている。
【００２４】
展開部材３２の上端の辺には、第１蓋部材５０が接合されており、展開部材４２の上端の辺には、第２蓋部材６０が接合されている。第１、第２蓋部材（５０，６０）は、展開部材３２，４２に対して折り曲げ可能に構成されている。図１（ａ）では、第１、第２蓋部材（５０，６０）と展開部材３２，４２との接合部３５，４５を示している。
【００２５】
また、第１蓋部材５０及び第２蓋部材６０は、包装箱１０の上面開口を覆う。包装箱１０を小容量形態で使用する場合には、図１（ｃ）に示すように、第１蓋部材５０を最上面（外側上面）にして、第１蓋部材５０及び第２蓋部材６０を重ね合わせる。また、包装箱１０を大容量で使用する場合には、図１（ｂ）に示すように、第２蓋部材６０を最上面にして、第１蓋部材５０及び第２蓋部材６０を重ね合わせる。
【００２６】
図１（ａ）に示すように、第１蓋部材５０及び第２蓋部材６０には、それぞれ、係止部５１，６１が、中央部に設けられている。これら係止部５１，６１は、接合部３５，４５とは反対側に突出するように設けられている。本実施形態では、第２蓋部材６０の係止部６１が、蓋部材係止部として機能する。
【００２７】
第１蓋部材５０の係止部５１は、図１（ｃ）に示すように、展開部材４２の切り込み部４３に挿入されて係止可能な大きさで形成されている。また、第１蓋部材５０の中央には、開口部５５が形成されている。この開口部５５は、窓部５５ａと、底面部材１１の長辺と平行に延びる挿入部５５ｂとから構成されている。窓部５５ａは、小容量形態で使用する場合に、後述する配送ラベル７０の送り主情報が見える位置に設けられている。挿入部５５ｂは、窓部５５ａとともに、第２蓋部材６０の係止部６１を挿入できるように形成されている。
【００２８】
また、第２蓋部材６０の係止部６１側の端部は、図２（ａ）に示すように、小容量形態での使用時に形成される挿入口Ｓ１に挿入可能な大きさで形成されている。この挿入口Ｓ１は、接合部３５と、折り曲げ線２７の上側領域との間で形成される空間である。
【００２９】
更に、第２蓋部材６０の上面には、図１（ｂ）に示すように配送ラベル７０が貼付される。この配送ラベル７０には、宛先情報記載欄７１及び送り主情報記載欄７２が含まれている。宛先情報記載欄７１には、復路の宛先情報が記録される。本実施形態では、この宛先情報記載欄７１には、返送品を受け取る企業の情報（企業の住所及び氏名等）が記録される。また、送り主情報記載欄７２には、復路の送り主情報が記録される。この送り主情報記載欄７２には、返送品を発送する顧客の情報（顧客の住所及び氏名等）が記録される。この顧客の情報は、往路における宛先情報として用いられる。
【００３０】
次に、上述した構成を有する包装箱１０の使用方法について説明する。
まず、返送品の回収先を宛先情報記載欄７１に記載し、返送品を回収する顧客情報を送り主情報記載欄７２に記載した配送ラベル７０を生成する。そして、この配送ラベル７０を、包装箱１０の第２蓋部材６０の上面に貼付する。
【００３１】
そして、接合部２２ａ及び折り曲げ線２７を折り曲げて、小容量形態の包装箱１０を形成する。この場合、図２（ａ）に示すように、第１蓋部材５０と展開部材３２との接続部分と、折り曲げ線２７の外側との間には、挿入口Ｓ１が形成される。そこで、図２（ｂ）に示すように、この挿入口Ｓ１に、第２蓋部材６０の係止部６１側の端部を挿入する。
【００３２】
そして、図２（ｃ）に示すように、展開部材３２は第１蓋部材５０と面一となって外側上面部を構成し、展開部材４２は第２蓋部材６０と面一となって内側上面部を構成する。そして、第１蓋部材５０を内側上面部の上になるように、第２蓋部材６０と重ねた後、第１蓋部材５０の係止部５１を、展開部材４２の切り込み部４３に挿入する。
【００３３】
そして、図３（ａ）に示すように、第１蓋部材５０の係止部５１を、切り込み部４３に挿入して係止させることにより、第１蓋部材５０を封止する。この場合、配送ラベル７０の送り主情報記載欄７２が窓部５５ａから露出して、往路における宛先情報が見える。
【００３４】
この状態で包装箱１０を発送した場合、この宛先情報に基づいて顧客に配送される。包装箱１０を受け取った顧客は、返送品を収納させるために、この包装箱１０を大容量形態に変形させる。この手順を、図３を用いて説明する。
【００３５】
図３（ａ）の状態で包装箱１０を受け取った顧客は、第１蓋部材５０の係止部５１を、展開部材４２の切り込み部４３から引き出す。そして、図３（ｂ）に示すように、第１蓋部材５０を引き上げて開く。この場合、第２蓋部材６０の配送ラベル７０の全体が露出することになる。
【００３６】
次に、第２蓋部材６０も開くことにより、図３（ｃ）に示すように、折り曲げ線２７及び接合部２２ａで折り曲げられた展開部材２２及びフラップ部材２３が起立する方向に展開される。そして、この折り曲げ線２７において折り曲げられていた面（折り曲げ線２７の上側領域と下側領域）を平らにする。そして、接合部２２ａにおいて折り曲げられていた面を平らにして、展開部材２２を、側壁部材２１と面一となるように起立させる。そして、図３（ｄ）に示すように、展開部材２２を側壁部材２１と面一に起立させた場合、フラップ部材２３を接合部２５で内側に折り曲げる。
【００３７】
そして、図３（ｅ）に示すように、第１蓋部材５０を閉じる。
次に、図３（ｆ）に示すように、第２蓋部材６０を、第１蓋部材５０の上側に重ねて閉じる。これにより、第２蓋部材６０に貼付された配送ラベル７０が上面に配置される。そして、第２蓋部材６０の係止部６１を、開口部５５に挿入する。以上により、包装箱１０は、配送ラベル７０が貼付された大容量形態になる。
【００３８】
本実施形態によれば、以下のような効果を得ることができる。
（１）本実施形態では、包装箱１０は、重なって上面部を形成する第１蓋部材５０及び第２蓋部材６０を備えている。第２蓋部材６０の上面には、配送ラベル７０が貼付されている。第１蓋部材５０には、配送ラベル７０の送り主情報記載欄７２を露出させる位置に、開口部５５の窓部５５ａを設ける。これにより、配送ラベル７０の送り主情報を用いて、包装箱１０を、送り主に配送することができる。また、第１蓋部材５０の下に重なっていた第２蓋部材６０を、第２蓋部材６０の上に重ねることにより、予め宛先及び送り主が記載された配送ラベル７０全体を露出させる。これにより、第１蓋部材５０及び第２蓋部材６０の重ね合わせを変更することにより、到着した包装箱１０を返送用に簡単に変形することができるので、効率的な発送作業を送り主が行なうことができる。
【００３９】
（２）本実施形態では、包装箱１０は、側壁部材３１，４１と第１蓋部材５０、第２蓋部材６０との間に展開部材３２，４２を有し、側壁部材２１に接続する展開部材２２と、これに接続するフラップ部材２３とを有している。展開部材２２及びフラップ部材２３には、折り曲げ線２７が形成されている。接合部２２ａ、側壁部材３１，４１と展開部材３２，４２との接合部を折り曲げ、かつ折り曲げ線２７において上側領域と下側領域とを折り曲げることにより、小容量形態の包装箱１０に形成することができる。また、側壁部材２１，３１，４１と面一になるように展開部材２２，３２，４２を起立させることにより、大容量形態の包装箱１０を形成することができる。従って、包装箱１０を、簡単な折り曲げによって、小容量形態から大容量形態に変形することができる。
【００４０】
（３）本実施形態では、第２蓋部材６０には、係止部６１が形成されている。第１蓋部材５０の開口部５５は、窓部５５ａと挿入部５５ｂとから構成されている。窓部５５ａ及び挿入部５５ｂは、係止部６１が挿入可能に形成されている。このため、係止部６１が開口部５５に挿入されることにより、第２蓋部材６０を閉めた状態を保持できる。
【００４１】
（４）本実施形態では、第１蓋部材５０には、係止部５１が形成されている。第２蓋部材６０に接続されている展開部材４２には、係止部５１が挿入される切り込み部４３が設けられている。これにより、係止部５１が切り込み部４３に挿入されることにより、第２蓋部材６０を閉めた状態を保持できる。
【００４２】
（５）本実施形態では、小容量の包装箱１０を形成する場合、接合部３５（第１蓋部材５０と展開部材３２との接続部分）と、折り曲げ線２７の外側との間に形成した挿入口Ｓ１に、第２蓋部材６０の係止部６１側の端部を挿入する。これにより、第２蓋部材６０は、挿入口Ｓ１に保持されるため、封入状態を維持しやすくすることができる。
【００４３】
また、上記実施形態は、以下のように変更してもよい。
・  上記実施形態においては、第１蓋部材５０を閉じるために、第１蓋部材５０に係止部５１を設け、この係止部５１を挿入する切り込み部４３を展開部材４２に設けた。また、第２蓋部材６０を閉じるために、第１蓋部材５０に窓部５５ａと一体化する挿入部５５ｂを設けた。第１蓋部材５０や第２蓋部材６０を閉じるための構成は、これに限定されない。例えば、係止部５１の内側にシール部材を設け、このシール部材の粘着により、第１蓋部材５０を閉じてもよい。この場合には、大容量形態のときに側面となる展開部材４２に切り込みを形成しなくてよいので、側面の強度を高くすることができる。
【００４４】
・  上記実施形態においては、包装箱１０は、企業から顧客に発送する場合（往路配送の場合）には、小容量形態とし、顧客から企業に返送する場合（復路配送の場合）には、大容量形態として使用した。包装箱１０の使用形態は、これに限定されるものではなく、往路配送の場合に大容量形態とし、復路配送の場合に小容量形態として用いるようにしてもよい。
【００４５】
・  上記実施形態の包装箱１０においては、第１蓋部材５０を最上面にした場合には小容量形態とし、第２蓋部材６０を最上面にした場合には大容量形態としたが、容積を変更しない包装箱１０としてもよい。例えば、顧客が発送する荷物が小容量の包装箱１０でも収容可能な場合には、展開部材２２，３２，４２を起立させずに、第１蓋部材５０と第２蓋部材６０との重なりを上下逆にするだけでもよい。この場合、第１蓋部材５０の係止部５１を、接合部４５と折り曲げ線２７の外側との間で形成される挿入口に挿入してもよい。この挿入口は、図２（ａ）の挿入口Ｓ１と対向する位置に形成される空間である。この場合にも、第１蓋部材５０の係止部５１を、この挿入口に挿入することにより、第１蓋部材５０を強固に保持することができる。
【００４６】
・  上記実施形態においては、包装容器を、第１蓋部材５０及び第２蓋部材６０が上面を覆う包装箱１０として説明した。包装容器の形状は、これに限られず、例えば、袋形状の開口部を、第１蓋部材５０及び第２蓋部材６０で覆う形状のものであってもよい。
【００４７】
・  上記実施形態においては、顧客が返送品を企業に配送するための包装箱１０を顧客に送付した場合について説明した。包装箱１０が往復するような用途であれば、例えば、物を送付した後、元の場所に返送するような往復の配送処理にも用いることができる。また、利用者から検査用の試料（例えば血液等）を送付してもらう場合にも用いることができる。
【符号の説明】
【００４８】
Ｓ１…挿入口、１０…包装箱、１１…底面部材、２１，３１，４１…側壁部材、２２，３２，４２…展開部材、２２ａ，２５，３５，４５…接合部、２７…折り曲げ線、２３…フラップ部材、４３…切り込み部、５０…第１蓋部材、５１，６１…係止部、５５…開口部、５５ａ…窓部、５５ｂ…挿入部、６０…第２蓋部材、７０…配送ラベル、７１…宛先情報記載欄、７２…送り主情報記載欄。
【図１】
2014046982.tif 000003
【図２】
2014046982.tif 000004
【図３】
2014046982.tif 000005